(57)【要約】【課題】生体組成に関する測定の結果を数値だけではなく、視覚的に解り易いものとし、どのような被験者に対しても理解できるようにし、また視覚的なイメージとして記憶に残すこと。【解決手段】従来、数値で表示されていた測定結果を、それぞれの身体組成を連想させるアニメーションで表示する。数値が読めない幼児や言語を理解できない外国人であっても測定結果を大まかに理解することができ、更には測定結果が動画であるため測定を行うこと自体が楽しくなり、健康管理を継続することができる。【選択図】　　　　図３０
2004008659.tif 000002
【特許請求の範囲】
【請求項１】
被験者の身体情報を入力する入力手段と、
被験者の物理的特性を測定する測定手段と、
入力された身体情報と測定された物理的特性値から被験者の身体組成に関する指標を算出する演算手段と、
算出された身体組成に関する指標を表すアニメーションを用いて表示する表示手段を備え、算出された結果に基づいて異なるアニメーション表示を行うことを特徴とする生体測定装置。
【請求項２】
前記表示手段は、更に前記身体組成に関する指標を数値でも表示することを特徴とする請求項１に記載の生体測定装置。
【請求項３】
前記身体組成に関する指標は体脂肪に関するものであり、
前記表示手段は横幅の異なる複数のキャラクターを同時に表示し、その中から、算出された体脂肪に基づき適当なキャラクターを選択することで体脂肪に関する結果を表示することを特徴とする請求項１または２に記載の生体測定装置。
【請求項４】
前記身体組成に関する指標は内臓脂肪に関するものであり、
前記表示手段はキャラクターの腹部のみを抽出して拡大表示し、その抽出した部分を算出された内臓に基づき色分けすることで内臓脂肪に関する結果を表示することを特徴とする請求項１または２に記載の生体測定装置。
【請求項５】
前記身体組成に関する指標は基礎代謝に関するものであり、
前記表示手段は算出された基礎代謝に基づき炎の数を変更することで基礎代謝に関する結果を表示することを特徴とする請求項１または２に記載の生体測定装置。
【請求項６】
前記身体組成に関する指標は筋肉に関するものであり、
前記表示手段は算出された筋肉に基づきキャラクターの上腕の太さを変更することで筋肉に関する結果を表示することを特徴とする請求項１または２に記載の生体測定装置。
【発明の詳細な説明】
【０００１】
【発明の属する技術分野】
本発明は、被験者の物理的特性を測定して、その得られた値から身体組成を算出する生体測定装置における表示形態に関するものである。
【０００２】
【従来の技術】
生体電気インピーダンスを用いて、体脂肪率、内臓脂肪レベル、基礎代謝量といった生体組成に関する指標を算出する装置が知られている。それらの装置は健康管理の面から有用とされ、家庭にも普及されている。
【０００３】
【発明が解決しようとする課題】
従来の測定装置では、結果を数値で表示するものであり、専門的な知識が無い被験者の場合、その数値が高いかどうかは直ぐには判断できず、例えば、基準となる値が記載された表や冊子を参照して、正常であるかを確認していた。
【０００４】
あるいは、過去のデータと共に現在までの推移をグラフ表示するものが知られている。
【０００５】
そのため、測定結果が解ったとしても、その結果から、身体の状態が正常であるか否かは解り難いものであった。
【０００６】
特に複数の生体組成に関する情報を表示する装置であれば、単に数値のみが表示される形態であると、どの値が高いのかが直ぐに理解し難く、また全ての数値を記憶しておくことは大変であり、記憶にも残り難いものとなり、折角、複数の生体組成に関する情報を表示しても健康管理において有効に活用されないことがあった。
【０００７】
また、数値による結果の表示は特段の面白みもなく、測定が飽きてしまう原因にもなっていた。そのため継続的な測定により長期的な健康管理を行う必要がある体脂肪計や内臓脂肪計といった測定装置は、一度測定されたきり使用されなくなることが多く、健康管理の観点からみて正しく使用されているとは言い難かった。
【０００８】
また、数値による結果の表示は数字を学習していない幼児においては、その結果を自分で理解することができず、親に聞くなりして判断することになっていた。
【０００９】
また、表示している結果が何の結果であるかを文字で表す場合があるが、その文字を理解していない、例えば外国人が使用している時には、その結果が何を意味しているかが解らず、充分に活用されていなかった。
【００１０】
本発明はこのような問題点に鑑みてなされたものであり、生体組成に関する測定の結果を数値だけではなく、視覚的に解り易いものとし、どのような被験者に対しても理解できるようにし、また視覚的なイメージとして記憶に残すことである。
【００１１】
また、表示結果を面白みのあるものとすることで、継続的な測定を続けることができるようにし、それにより結果的に長期的な健康管理に役立てることである。
【００１２】
【課題を解決するための手段】
本発明の生体測定装置は、被験者の身体情報を入力する入力手段と、
被験者の物理的特性を測定する測定手段と、
入力された身体情報と測定された物理的特性値から被験者の身体組成に関する指標を算出する演算手段と、
算出された身体組成に関する指標を表すアニメーションを用いて表示する表示手段を備え、算出された結果に基づいて異なるアニメーション表示を行うこととし、測定結果が理解しやすいものとする。
【００１３】
また、本発明の生体測定装置では、前記表示手段は、更に前記身体組成に関する指標を数値でも表示することとし、具体的な測定結果も理解できるものとする。
【００１４】
また、本発明の生体測定装置では、前記身体組成に関する指標は体脂肪に関するものであり、
前記表示手段は横幅の異なる複数のキャラクターを同時に表示し、その中から、算出された体脂肪に基づき適当なキャラクターを選択することで体脂肪に関する結果を表示することとし、体脂肪の状態を理解し易いものとする。
【００１５】
また、本発明の生体測定装置では、前記身体組成に関する指標は内臓脂肪に関するものであり、
前記表示手段はキャラクターの腹部のみを抽出して拡大表示し、その抽出した部分を算出された内臓に基づき色分けすることで内臓脂肪に関する結果を表示することとし、内臓脂肪の状態を理解し易いものとする。
【００１６】
また、本発明の生体測定装置では、前記身体組成に関する指標は基礎代謝に関するものであり、
前記表示手段は算出された基礎代謝に基づき炎の数を変更することで基礎代謝に関する結果を表示することとし、基礎代謝の状態を理解し易いものとする。
【００１７】
また、本発明の生体測定装置では、前記身体組成に関する指標は筋肉に関するものであり、
前記表示手段は算出された筋肉に基づきキャラクターの上腕の太さを変更することで筋肉に関する結果を表示することとし、筋肉の状態を理解し易いものとする。
【００１８】
【発明の実施の形態】
本発明の生体測定装置では、被験者が身体組成に関する指標の測定結果を把握しやすいよう、各身体組成とその結果をイメージできるようなアニメーション（動画）を用いて表示する。
【００１９】
【実施例】
本発明の一実施例である生体測定装置を図面を用いて説明する。
【００２０】
図１は本発明の一実施例である体重及び体脂肪率、内臓脂肪レベル、基礎代謝量、筋肉量といった身体組成の測定が可能な生体測定装置１の外観斜視図である。図２は図１に示す生体測定装置１の内部接続状態を示すブロック図である。
【００２１】
生体測定装置１の上面には、インピーダンス測定手段として、利用者の両足間におけるインピーダンスを測定することが出来るように、一対の電流供給電極２Ａ、２Ｂと電圧測定電極３Ａ、３Ｂの４つの電極を備える。
【００２２】
一対の電流供給電極２Ａ、２Ｂは高周波の微弱な定電流を印可するための高周波定電流回路４に繋がれている。別の一対の電圧測定電極３Ａ、３Ｂは前述の定電流による電圧降下分を測定するための電圧測定回路５に繋がれている。また、生体測定装置本体１の内部には利用者が生体測定装置本体１に乗ったとき、その重量である体重を測定する体重測定手段として重量測定回路６を備えている。この電圧測定回路５と重量測定回路６はアナログ値からデジタル値への変換や各身体組成値の算出、各種の制御を行う演算手段である演算制御部１０に接続されている。
【００２３】
また、入力手段である入力装置１１はアップスイッチ１１Ａ、ダウンスイッチ１１Ｂ、設定スイッチ１１Ｃの３つのスイッチからなる。更に入力された個人の身体情報や測定された体重、演算された結果を表示する表示手段である表示装置１２を備える。
【００２４】
また生体測定装置１の前面には複数の個人スイッチ１３が設けられ、測定を行うために個人スイッチ１３が押されると、個人スイッチに対応したデータを記憶装置１５から読み出し、測定状態となる。
【００２５】
生体測定装置１の内部には、時間を計時する手段である時計装置１４、複数人分の個人情報や表示部で表示するアニメーションに関するプログラムといった情報を記憶しておく記憶手段である記憶装置１５を有する。
【００２６】
図３は表示装置１２の拡大図であり、様々なアニメーションを表示するドットマトリックス表示部の上段と、主に演算された生体組成に関する指標の値を表示するセグメント表示部の下段からなる。
【００２７】
次に本発明の実施例である生体測定装置の動作について、図４、図５に示すフローチャート及び表示画面を示す図６〜図３４を用いて説明する。
【００２８】
生体測定装置１は、利用者が初めての測定である場合には、予め個人の身体情報の設定を行う必要がある。
【００２９】
設定スイッチ１１Ｃが押されると、生体測定装置１は設定モードとなり、表示装置１２には図６に示すよう利用者の個人登録番号を選択するよう指示する表示がなされる（ステップＳ１）。
【００３０】
被験者はアップスイッチ１１Ａ、ダウンスイッチ１１Ｂを用いて表示装置１２の下段に表示される数字を変更する。この時、図７に示すよう押されたスイッチに応じて、画面上のスイッチを示す部分が反転表示される。設定スイッチ１１Ｃが再度押されることで、図８に示すよう「ＳＥＴ」部分が反転表示し番号が確定登録される。ここでは、「１」が選択されたことを示している。
【００３１】
次に、性別を設定する。図９に示すよう性別を設定することを促す表示がされた後、図１０のように男性と女性を意味するキャラクターが表示される画面に切り替わる。アップスイッチ１１Ａとダウンスイッチ１１Ｂを押すことで選択されるキャラクターが入れ替わり、選択されているキャラクターは反転表示となる。ここで設定スイッチ１１Ｃが押されることで性別が決定される。
【００３２】
男性が選択された場合には、図１１に示すよう、「男性」の文字も表示され、キャラクターは手を上げることで性別が男性に確定されたことを示す。一方、女性が選択された場合には、図１２に示すよう、「女性」の文字も表示され、キャラクターはスカートをたくし上げる動作をすることで性別が女性に確定されたことを示す。尚、ここでキャラクターの内部に記載されている数字は個人登録番号である。（ステップＳ３）
【００３３】
同様に表示装置１２に表示される情報を変更していき、年齢、身長を入力し、それらの情報は記憶装置１５に記憶される（ステップＳ４〜Ｓ５）。図１３は年齢設定時、図１４は身長設定時の表示を示す図である。
【００３４】
個人身体情報の設定が終了すると図１５に示すように目標体重を設定する。ここで目標体重とは被験者が希望する体重値である（ステップＳ６）。
【００３５】
全ての設定が終了すると、ステップＳ３で選択された性別のキャラクターと「設定完了」の文字が表示され、キャラクターがジャンプすることで設定が完了したことを知らせる。図１６（ａ）はジャンプ前、図１６（ｂ）はジャンプ中を示しているが、図１６（ａ）から（ｂ）は徐々に表示が変化するアニメーションで行う。その後、表示は自動的に消去し、設定モードは終了する（ステップＳ７）。
【００３６】
次に測定モードについて説明する。
【００３７】
個人スイッチ１３のいずれか一つが押されると（ステップＳ１１）、その個人登録番号に対応して記憶された個人身体情報を記憶装置１５から読み出し表示装置１２に表示する。図１７は個人登録番号１に男性、３３才、１６３ｃｍが登録されている場合である。下段の数値は目標体重を示している。その後、図１８に示すように、生体測定装置１の上面に載るように指示が表示装置１２に表示される（ステップＳ１２）。被験者は右足の爪先及び踵が電流供給電極２Ａ及び電圧測定電極３Ａに、電圧左足の爪先及び踵が電流供給電極２Ｂ及び電圧測定電極３Ｂに接触するように生体測定装置１に載る。
【００３８】
重量測定回路６が荷重を検知すると、演算制御部１０は生体測定装置１に被験者が載ったと判断し、図１９に示すよう被験者が体重に載ったことを示すアニメーションを表示装置１２に表示する。
【００３９】
ここで重量測定回路６は、利用者の体重を測定し（ステップＳ１３）、体重値が確定したところで図２０に示すよう、表示装置１２に体重測定が完了したことを示す表示を行う。ここでは、６３．２ｋｇであったことを示している（ステップＳ１４）。その後、図２１に示すよう目標体重との差が下段のセグメント表示部に表示され、上部には、「目標との差」という文字と共に、複数の矢印が表示される。ここで生体電気インピーダンスの測定が行われる。高周波定電流回路５から供給される交流電流は、電流供給電極２Ａ、２Ｂを介して被験者の体内に供給され、電圧測定電極３Ａ、３Ｂ間の電圧を電圧測定回路５で測定し、演算制御部１０は測定者の生体電気インピーダンス値を算出する（ステップＳ１５）。この間、表示装置１２には生体測定装置１がインピーダンス測定中であることを把握させるよう、図２２に示すよう矢印の数が徐々に減少する表示となる。
【００４０】
測定された体重値及び生体電気インピーダンス値と、入力された身長から被験者の体脂肪率を算出する。この体脂肪率の算出に用いる演算式は入力された性別、年齢により異なるもので、演算制御部１０は適した演算式を選択し演算を行う。尚、体脂肪率の測定や演算については特公平５−４９０５０号公報等に記載されているので、ここでは省略する。
【００４１】
算出された体脂肪率が表示装置１２の下段に表示される（ステップＳ１６）。同時にドットマトリクス表示部には、図２３に示すよう横幅の異なるキャラクターが複数個表示される。ここでは４種類のキャラクターが表示され、左から右にかけて、横幅が広いキャラクターとなっている。
【００４２】
ここで算出された体脂肪率に基づき４つのレベルに分けられる。レベルは「痩せ気味」、「標準」、「太り気味」、「肥満」の４つであり、いずれのレベルに属するかにより、キャラクターが選択される。ここでは一番右のキャラクターが選択された場合を示している。
【００４３】
図２４に示すよう選択されたキャラクター以外は消去される。ここでは一番横幅が広いキャラクターが表示されているため、好ましくない状況であることが解るが、更にどのような意味を表しているかを説明するために、判定された結果を文字でも表示する。ここでは「肥満」であったことを示している。
【００４４】
ステップＳ１６でキャラクターの表示が表示装置１２に行われている間に、演算制御部１０は、その他の身体組成に関する演算を行う（ステップＳ１７）。
【００４５】
内臓脂肪面積の演算を行う。
内臓脂肪面積（Ｖｉｓｃｅｒａｌ　Ｆａｔ　Ａｒｅａ：ＶＦＡ）は、被験者の身長Ｈｔ（ｃｍ）、体重Ｗｔ（ｋｇ）、年齢Ａｇｅを用い、次式に基づき算出される。
ＶＦＡ＝Ａ５×Ｈｔ／Ｗｔ＋Ｂ１×ＦＭ＋Ｃ１×Ａｇｅ＋Ｄ１
（ただしＡ１、Ｂ１、Ｃ１、Ｄ１は定数）
ここでＦＭ（Ｆａｔ　Ｍａｓｓ）は脂肪量であり、この値は、ステップＳ１６の体脂肪率を演算した際に算出することが可能である。
【００４６】
以上の演算により内臓脂肪面積：ＶＦＡは算出され、算出されたＶＦＡによりレベル分けされる。ここではＶＦＡ＜２０ｃｍ２をレベル１とし、１０ｃｍ２多くなる毎にレベルが１上がる。
【００４７】
更にレベル数に応じて内臓脂肪が標準か、やや過剰か、過剰かを判断する。レベル１〜９までを標準レベル、レベル１０〜１４をやや過剰レベル、レベル１５以上を過剰レベルとする。
【００４８】
次に基礎代謝量の算出を行う。
この演算に関しては、特開２００２−１１２９８２公報に記載の事項である。基礎代謝量の算出は次式により行う。
ＢＭＲ＝Ａ２×ＦＦＭ２＋Ｂ２×ＦＦＭ＋Ｃ２×（１／年齢）＋Ｄ２×体重＋Ｅ２
ここでＢＭＲは基礎代謝量（ｋｃａｌ／日）、ＦＦＭは除脂肪量（ｋｇ）、Ａ２，Ｂ２，Ｃ２，Ｄ２，Ｅ２は定数
【００４９】
算出されたＢＭＲに基づいて、基礎代謝のレベルを判定する。ここでは基礎代謝が高いか、標準範囲であるか、低いかを判定する。
【００５０】
更に筋肉に関する演算を行う。
測定された生体電気インピーダンス値と記憶装置１２に記憶されている被験者の身体情報から筋肉に関する指標（ｍｕｓｃｌｅ　ｉｎｄｅｘ：ＭＩ）を算出する。
【００５１】
ここでは除脂肪量／身長２の値を、筋肉に関する指標として用いる。この値はＬＭＩ（Ｌｅａｎ　Ｍａｓｓ　Ｉｎｄｅｘ：除脂肪量／身長２）と同じであるため、体格指数（ＢＭＩ）から脂肪の指標であるＦＭＩ（Ｆａｔ　Ｍａｓｓ　Ｉｎｄｅｘ：脂肪量／身長２）を減算する次式により算出する。
ＭＩ＝ＢＭＩ−ＦＭＩ
【００５２】
表示装置１２においては、体脂肪率の判定の時に選択されたキャラクターが表示されたままであるが、その後、ステップＳ１７で算出された結果に基づき表示を行う。
【００５３】
一定時間づつ結果を表示するために時計装置１４で時間を計測する。一定時間が経過した場合には（ステップＳ１８）、記憶装置１５内の表示カウンタを＋１とする（ステップＳ１９）。
【００５４】
最初は表示カウンタが０であり（ステップＳ２０）、内臓脂肪に関する結果を表示する。図２５に示すよう、ここでは内臓脂肪に関する判定結果はキャラクターの腹部のみが取り出される（輪切りにされる）表示となる。表示されるドットを徐々に移動させることで腹部を上から見た拡大表示で表している。
【００５５】
その後、図２６〜図２９に示すように判定された内臓脂肪レベルの結果を表示する。内臓脂肪のレベルに合わせて腹部の内臓脂肪を示すドットのうち点灯している部分も増えている。この表示は判定されたレベルに関係なく、一度、内臓脂肪を示すドットが全て消灯しているレベル１から内臓脂肪を示すドットが全て点灯するレベル１９までのアニメーションが表示された後、レベル１９以下だと再度、判定されたレベルまで減少して内臓脂肪を示すドットの消灯と数字の変化は止まる。逆にレベル１９を超える場合には、内臓脂肪を示すドットは全点灯のまま増えないが、下部のレベル数のみは上昇し続ける（ステップＳ２１）。図２６〜図２９においてはレベル１６であった場合を示している。更に前述のように、判定された内臓脂肪のレベル数が「標準」か、「やや過剰」か、「過剰」かを、図３０に示すよう内臓脂肪のイラストと交互に表示する。
【００５６】
一定時間経過後、表示カウンタは１となるが、表示カウンタが１の時（ステップＳ２２）、基礎代謝に関する結果を表示する。
【００５７】
基礎代謝が高い体質は体脂肪の燃焼量が高い体質であると言え、ここでは図３１に示すようキャラクターと共に炎のマークを多く表示することで、体脂肪が燃焼していることをイメージすることを示す。図３１（ｂ）は基礎代謝量が低いこと、図３１（ｃ）は基礎代謝量が標準であること、図３１（ｄ）は基礎代謝量が高いこと表している。
【００５８】
結果の表示は、一度、キャラクターのみ表示されている図３１（ａ）の状態から図３１（ｂ）の炎が１つ、図３１（ｃ）の炎が２つ、図３１（ｄ）の炎が３つへと変わるアニメーションを表示し、その後、判断された基礎代謝量に基づき、図３１（ｂ）〜（ｄ）のいずれかが表示される（ステップＳ２３）。
【００５９】
更に一定時間経過後、表示カウンタは２となるが、表示カウンタが２の時（ステップＳ２４）、筋肉に関する結果を表示する。
【００６０】
筋肉に関する結果は算出されたＭＩ値に基づいて３段階で表示する。図３２は筋肉量に基づく表示であるが、キャラクターの上腕の太さを変更することで、筋肉量をイメージするようにする。図３２（ｂ）は筋肉が少ないこと、図３２（ｃ）は筋肉が普通であること、図３２（ｄ）は筋肉が多いことを表している。
【００６１】
結果の表示は、一度、図３２（ａ）のキャラクターが表示された後、図３２（ｂ）の細い上腕、図３２（ｃ）の普通の上腕、図３２（ｄ）の太い上腕へと変化するアニメーションを表示し、その後、算出されたＭＩ値に基づき図３２（ｂ）〜（ｄ）のいずれかが表示される（ステップＳ２５）。
【００６２】
更に一定時間経過後、表示カウンタは３となり、ステップＳ２０、Ｓ２２、Ｓ２４の全てでＮＯと判断され結果表示は終了し、全ての測定・表示は終了し、生体測定装置１の電源はオフする（ステップＳ２６）。
【００６３】
以上、本発明の実施例として説明したが、本発明はここに示したものに限らず、測定結果が解り易いものであればよい。表示されるアニメーションとして、例えば基礎代謝の表示であれば図３３に示すようランナーの数を表示したり、筋肉量の表示であれば図３４に示すようバーベルの数を変化する表示が考えられる。
【００６４】
【発明の効果】
本発明の生体測定装置であれば、従来、数値で表示されていたものをそれぞれの身体組成を連想させるアニメーションで表示するため、数値が読めない幼児や言語を理解できない外国人であっても測定結果を大まかには理解することができ、更には測定結果が動画であるため、測定を行うこと自体が楽しくなり、健康管理を継続することができ、有用なものとなる。
【００６５】
また、アニメーションによる結果表示に加えて、数値で結果を表示する形態とすれば、具体的な測定結果も解るため、より有用なものとなる。
【００６６】
また、算出された体脂肪に基づいて複数の異なる体型のキャラクターの中から、１つを選択してアニメーション表示する形態とすれば、体脂肪の測定結果をイメージし易く、健康管理において便利なものとなる。
【００６７】
また、算出された内臓脂肪に基づいてキャラクターの腹部のみを取り出し拡大表示し、その部分を色分けしてアニメーションで表示する形態であれば、内臓脂肪の判定結果をイメージし易く、また被験者の記憶にも残り易いものとなり健康管理において便利なものとなる。
【００６８】
また、算出された基礎代謝に基づいて炎の数を変更してアニメーション表示する形態であれば、基礎代謝の判定結果をイメージし易く、また被験者の記憶にも残り易いものとなり健康管理において便利なものとなる。
【００６９】
また、算出された筋肉に基づいてキャラクターの上腕の太さを変更するアニメーション表示であれば、筋肉の判定結果をイメージし易く、また被験者の記憶にも残り易いものとなり健康管理において便利なものとなる。
【図面の簡単な説明】
【図１】本発明の実施例である生体測定装置の外観斜視図である。
【図２】本発明の実施例である生体測定装置の内部ブロック図である。
【図３】本発明の実施例である生体測定装置の表示部拡大図である。
【図４】本発明の実施例である生体測定装置の設定状態におけるフローチャート。
【図５】本発明の実施例である生体測定装置の測定状態におけるフローチャート。
【図６】本発明の実施例である生体測定装置の個人番号登録時の表示画面。
【図７】本発明の実施例である生体測定装置の個人番号登録時の番号変更した表示画面。
【図８】本発明の実施例である生体測定装置の個人番号登録時の番号確定した表示画面。
【図９】本発明の実施例である生体測定装置の性別設定時の表示画面。
【図１０】本発明の実施例である生体測定装置の性別設定時の性別選択した表示画面。
【図１１】本発明の実施例である生体測定装置の性別設定時の男性を登録した表示画面。
【図１２】本発明の実施例である生体測定装置の性別設定時の女性を登録した表示画面。
【図１３】本発明の実施例である生体測定装置の年齢設定時の表示画面。
【図１４】本発明の実施例である生体測定装置の身長設定時の表示画面。
【図１５】本発明の実施例である生体測定装置の目標体重設定時の表示画面。
【図１６】本発明の実施例である生体測定装置の設定が完了した表示画面。
【図１７】本発明の実施例である生体測定装置の登録内容を示す表示画面。
【図１８】本発明の実施例である生体測定装置の測定状態を示す表示画面。
【図１９】本発明の実施例である生体測定装置の被験者が装置に載ったことを検出した表示画面。
【図２０】本発明の実施例である生体測定装置の体重の測定が完了した表示画面。
【図２１】本発明の実施例である生体測定装置の目標体重との差を示す表示画面。
【図２２】本発明の実施例である生体測定装置の生体電気インピーダンス測定状態を示す表示画面。
【図２３】本発明の実施例である生体測定装置の体脂肪率を示す表示画面。
【図２４】本発明の実施例である生体測定装置の体脂肪率による判定を示す表示画面。
【図２５】本発明の実施例である生体測定装置の内臓脂肪表示への移行状態を示す表示画面。
【図２６】本発明の実施例である生体測定装置の内臓脂肪のレベルに応じた表示画面。
【図２７】本発明の実施例である生体測定装置の内臓脂肪のレベルに応じた表示画面。
【図２８】本発明の実施例である生体測定装置の内臓脂肪のレベルに応じた表示画面。
【図２９】本発明の実施例である生体測定装置の内臓脂肪のレベルに応じた表示画面。
【図３０】本発明の実施例である生体測定装置の内臓脂肪のレベル結果を示す表示画面。
【図３１】本発明の実施例である生体測定装置の基礎代謝のレベルに応じた表示画面。
【図３２】本発明の実施例である生体測定装置の筋肉のレベルに応じた表示画面。
【図３３】本発明の実施例である生体測定装置の基礎代謝のレベルに応じた別表示画面。
【図３４】本発明の実施例である生体測定装置の筋肉のレベルに応じた別表示画面。
【符号の説明】
１　生体測定装置
２Ａ、２Ｂ　電流供給電極
３Ａ、３Ｂ　電圧測定電極
４　高周波定電流回路
５　電圧測定回路
６　重量測定回路
１０　演算制御部
１１　入力装置
１２　表示装置
１３　個人スイッチ
１４　時計装置
１５　記憶装置
【図１】
2004008659.tif 000003
【図２】
2004008659.tif 000004
【図３】
2004008659.tif 000005
【図４】
2004008659.tif 000006
【図５】
2004008659.tif 000007
【図６】
2004008659.tif 000008
【図７】
2004008659.tif 000009
【図８】
2004008659.tif 000010
【図９】
2004008659.tif 000011
【図１０】
2004008659.tif 000012
【図１１】
2004008659.tif 000013
【図１２】
2004008659.tif 000014
【図１３】
2004008659.tif 000015
【図１４】
2004008659.tif 000016
【図１５】
2004008659.tif 000017
【図１６】
2004008659.tif 000018
【図１７】
2004008659.tif 000019
【図１８】
2004008659.tif 000020
【図１９】
2004008659.tif 000021
【図２０】
2004008659.tif 000022
【図２１】
2004008659.tif 000023
【図２２】
2004008659.tif 000024
【図２３】
2004008659.tif 000025
【図２４】
2004008659.tif 000026
【図２５】
2004008659.tif 000027
【図２６】
2004008659.tif 000028
【図２７】
2004008659.tif 000029
【図２８】
2004008659.tif 000030
【図２９】
2004008659.tif 000031
【図３０】
2004008659.tif 000032
【図３１】
2004008659.tif 000033
【図３２】
2004008659.tif 000034
【図３３】
2004008659.tif 000035
【図３４】
2004008659.tif 000036